(57)【要約】【課題】身体に沿わせることができるようにすることによって、身体を前方側へ大きく屈めることをスムーズに行うことができる浮力材付き釣り用上着を提供する。【解決手段】  上着本体の左前身頃と右前身頃のそれぞれに、浮力材３，４を備え、左右の前身頃に備えた浮力材３，４のそれぞれが、複数の部材３Ａ，３Ｂ，３Ｃ，３Ｄ、４Ａ，４Ｂ，４Ｃ，４Ｄからなり、合わせ部に面した胸部及び腹部に相当する部分は、上下１つの部材３Ａ，４Ａ、又は、上下に分割された複数の部材３ａ，３ｂ、４ａ，４ｂから構成され、前記腹部に相当する部分の左右幅寸法Ｗ３，Ｗ４を前記胸部に相当する部分の左右幅寸法Ｗ１，Ｗ２よりも小さくした。【選択図】図３
2009019298.tif 000002
【特許請求の範囲】
【請求項１】
上着本体の左前身頃と右前身頃のそれぞれに、浮力材を備え、左右の前身頃に備えた浮力材のそれぞれが、複数の部材からなり、合わせ部に面した胸部及び腹部に相当する部分は、上下１つの部材、又は、上下に分割された複数の部材から構成され、前記腹部に相当する部分の左右幅寸法を前記胸部に相当する部分の左右幅寸法よりも小さくしたことを特徴とする浮力材付き釣り用上着。
【請求項２】
前記胸部に相当する部分と腹部に相当する部分とを、上下方向に長い単一の縦長状の第１部材から構成し、該第１部材の下部の左右幅寸法を上部の左右幅寸法よりも小さくした請求項１に記載の浮力材付き釣り用上着。
【請求項３】
前記第１部材の左右両端のうちの前身頃の合わせ部側とは反対側の横側端の下側がそれの下端側ほど該合わせ部側に位置する傾斜部を有するように、該第１部材を先細り形状に構成したことを特徴とする請求項２に記載の浮力材付き釣り用上着。
【請求項４】
前記第１部材の左右両端のうちの前身頃の合わせ部側の横側端を、上下方向にほぼ真っ直ぐ伸びる直線部に構成したことを特徴とする請求項２又は３に記載の浮力材付き釣り用上着。
【請求項５】
前記第１部材の前記前身頃の合わせ部側とは反対側の横側端の下側を該前身頃の合わせ部側へ位置させ、前記第１部材の側方に位置する第２部材を、該第１部材の上部と上下方向において重複するように配置したことを特徴とする請求項２又は４に記載の浮力材付き釣り用上着。
【請求項６】
前記第２部材の左右両横側端のうちの前記第１部材側の横側端に、下端側ほど該第１部材に位置する傾斜部を備えさせたことを特徴とする請求項５記載の浮力材付き釣り用上着。
【請求項７】
前記第２部材の側方に、第３部材が配置され、該第２部材の第３部材側の横側端に、下端側ほど第１部材側に位置する傾斜部を備えさせ、前記第３部材の第２部材側の横側端に、下端側ほど該第２部材側に位置する傾斜部を備えさせたことを特徴とする請求項６記載の浮力材付き釣り用上着。
【発明の詳細な説明】
【技術分野】
【０００１】
本発明は、例えばフローティングベストと称される浮力材が内装された浮力材付き釣り用上着に関する。
【背景技術】
【０００２】
この種のフローティングベストは、上着本体を構成する左右の前身頃及び後身頃内に、ＰＶＣ、ＰＥ、ＥＶＡなどからなる板状の浮力材をそれぞれ備えている。各浮力材は、前身頃や後身頃の形状に合わせて形成され、左右の前身頃及び後身頃内をほぼ埋めるようになっている。
そして、前記後身頃内に備えさせた浮力材は、背中を支持することができる背中部と、この背中部の両端の上下方向ほぼ中央部から下側部分から左右方向にそれぞれ真っ直ぐに延びる横側部とが一体化された一枚の平板状のものから構成されている。（例えば、特許文献１参照）。
【特許文献１】特開２００６−１８８７８９号公報（図１、図２参照）
【発明の開示】
【発明が解決しようとする課題】
【０００３】
前記特許文献１の構成では、浮力材を前身頃及び後身頃に備えさせることによって、前後の両方で厚みを有するベストになるだけでなく、前記浮力材が平板状であることから、特に横側部が身体に沿った形状になり難く、実際には左右方向両端側へそれぞれ横側部が突出した状態になっていることから、それら２つの横側部に手が当たったりして、邪魔になるものであった。
又、このようなベストを着て釣りを行っている際に、前方側に大きく身体を屈めることがあるが、前記特許文献１の構成では、浮力材の左右幅が左右の前身頃の左右幅とほぼ同一寸法の幅広に構成されているため、浮力材の剛性が高く、前記のように前方側に大きく身体を屈めた場合に、浮力材が身体の動きに伴って曲がり難く、上下方向で突っ張った状態になってしまうため、前方側に大きく身体を屈めることが難しく、釣りがやり難いものになっていた。
【０００４】
本発明が前述の状況に鑑み、解決しようとするところは、身体に沿わせることができるようにすることによって、身体を前方側へ大きく屈めることをスムーズに行うことができる浮力材付き釣り用上着を提供することを課題とする。
【課題を解決するための手段】
【０００５】
本発明の浮力材付き釣り用上着は、上着本体の左前身頃と右前身頃のそれぞれに、浮力材を備え、左右の前身頃に備えた浮力材のそれぞれが、複数の部材からなり、合わせ部に面した胸部及び腹部に相当する部分は、上下１つの部材、又は、上下に分割された複数の部材から構成され、前記腹部に相当する部分の左右幅寸法を前記胸部に相当する部分の左右幅寸法よりも小さくしたことを特徴としている。
左右の前身頃に備えた浮力材のそれぞれを、複数の部材から構成することによって、左右方向両端側へそれぞれ横側部が突出して邪魔になるようなことがない。しかも、合わせ部に面した腹部に相当する部分の左右幅寸法が、胸部に相当する部分の左右幅寸法よりも小さくしているから、身体を前方側へ屈んだときに身体に沿って撓み易くなり、身体の動きに応じて浮力材が追従し易くなる。
【０００６】
前記胸部に相当する部分と腹部に相当する部分とを、上下方向に長い単一の縦長状の第１部材から構成し、該第１部材の下部の左右幅寸法を上部の左右幅寸法よりも小さくしてもよい。
【０００７】
前記第１部材の左右両端のうちの前身頃の合わせ部側とは反対側の横側端の下側がそれの下端側ほど該合わせ部側に位置する傾斜部を有するように、該第１部材を先細り形状に構成してもよい。
【０００８】
前記第１部材の左右両端のうちの前身頃の合わせ部側の横側端を、上下方向にほぼ真っ直ぐ伸びる直線部に構成してもよい。
【０００９】
前記第１部材の前記前身頃の合わせ部側とは反対側の横側端の下側を該前身頃の合わせ部側へ位置させ、前記第１部材の側方に位置する第２部材を、該第１部材の上部と上下方向において重複するように配置してもよい。
【００１０】
前記第２部材の左右両横側端のうちの前記第１部材側の横側端に、下端側ほど該第１部材に位置する傾斜部を備えさせてもよい。
【００１１】
前記第２部材の側方に、第３部材が配置され、該第２部材の第３部材側の横側端に、下端側ほど第１部材側に位置する傾斜部を備えさせ、前記第３部材の第２部材側の横側端に、下端側ほど該第２部材側に位置する傾斜部を備えさせてもよい。
【発明の効果】
【００１２】
左右の前身頃に備えた浮力材のそれぞれが、複数の部材からなり、合わせ部に面した胸部及び腹部に相当する部分は、上下１つの部材、又は、上下に分割された複数の部材から構成され、前記腹部に相当する部分の左右幅寸法を前記胸部に相当する部分の左右幅寸法よりも小さくすることによって、特に身体を前方へ屈んだときに、浮力材が突っ張るようなことがなく、身体の動きに追従することができるから、動き易い使用面において有利な浮力材付き釣り用上着を提供することができる。
【００１３】
前記胸部に相当する部分と腹部に相当する部分とを、上下方向に長い単一の縦長状の第１部材から構成し、該第１部材の下部の左右幅寸法を上部の左右幅寸法よりも小さく構成することによって、胸部に相当する部分と腹部に相当する部分とを２つの部材から構成する場合に比べて、部材点数の削減を図ることができ、製造面において有利になる。
【００１４】
前記第１部材の左右両端のうちの前身頃の合わせ部側とは反対側の横側端の下側がそれの下端側ほど該合わせ部側に位置する傾斜部を有するように、該第１部材を先細り形状に構成することによって、上下方向において同一幅で第１部材を構成した場合に比べて、上側と下側との連結部での強度を高めることができ、破損し難い第１部材にすることができる。
【００１５】
前記第１部材の左右両端のうちの前身頃の合わせ部側の横側端を、上下方向にほぼ真っ直ぐ伸びる直線部に構成することによって、合わせ部との間に隙間無く第１部材を配置することができる。
【００１６】
前記第１部材の前記前身頃の合わせ部側とは反対側の横側端の下側を該前身頃の合わせ部側へ位置させ、前記第１部材の側方に位置する第２部材を、該第１部材の上部と上下方向において重複するように配置することによって、第１部材の前記前身頃の合わせ部側とは反対側の横側端の下側に形成されるスペースを第２部材の配置スペースに利用することができる。
【００１７】
前記第２部材の左右両横側端のうちの前記第１部材側の横側端に、下端側ほど該第１部材に位置する傾斜部を備えさせることによって、第２部材と第１部材との間に余分なスペースが形成されることなく、第２部材を第１部材にできる限り接近させて配置することができる。
【００１８】
前記第２部材の側方に、第３部材が配置され、該第２部材の第３部材側の横側端に、下端側ほど第１部材側に位置する傾斜部を備えさせ、前記第３部材の第２部材側の横側端に、下端側ほど該第２部材側に位置する傾斜部を備えさせることによって、左右方向において更に動き易くなるだけでなく、身体を前方へ屈んだときに３つの部材が左右方向において突っ張った状態になることがない。従って、どのような動きにも追従し易い浮力材付き釣り用上着にすることができる。
【発明を実施するための最良の形態】
【００１９】
図１に、浮力材付き釣り用の上着の一例である袖なしの上着であるベストを示しているが、袖のある上着であってもよい。このベストは、例えば磯釣りの際に装着されるフローティングベストとして使用されているが、波止釣りや船釣り等で使用してもよい。
前記ベストは、上着本体を構成する前身頃１と、この前身頃１の左右両端に連結される後身頃２とを備え、特に後身頃２を構成する生地の大部分（一部でもよい）を通気性のよいメッシュ状の生地から構成することによって、高い通気性を確保することが好ましいが、通気性を有さない生地から構成することもできる。前記前身頃１は、左前身頃１Ａと右前身頃１Ｂとを備え、それら左前身頃１Ａと右前身頃１Ｂそれぞれの内部に、浮力材３又は４を備えさせている。これら左前身頃１Ａ及び右前身頃１Ｂの左右方向中心部側端に備えさせたベスト着脱用スライドファスナー５を開閉操作することで身体にベストを着脱することができるようになっているが、他の構成であってもよい。つまり、前記ベスト着脱用スライドファスナー５にて着脱できる構成であるが、他の開閉手段を用いてもよいし、又、開閉手段を無くした構成、つまり頭から被って着るようなベストであってもよい。
【００２０】
前記左右に配置した前身頃１Ａ，１Ｂの浮力材３，４は、左右対称に配置されている以外は、同一構成であるが、左右で異なる形状であってもよい。
図１及び図２（ａ），（ｂ）に示すように、浮力材３又は４は、複数の部材、図では４つの部材からなっているが、２つ又は３つあるいは５つ以上から構成してもよい。具体的には、合わせ部に面した胸部及び腹部に相当する前身頃の中央部に位置する第１部材３Ａ又は４Ａと、この第１部材３Ａ又は４Ａの前身頃の合わせ部から離間する横側部に位置し、かつ、第１部材よりも背の低い寸法に構成された第２部材３Ｂ又は４Ｂと、該第２部材３Ｂ又は４Ｂの前身頃の合わせ部から離間する横側部に位置し、かつ、第２部材３Ｂ又は４Ｂよりも少し短い背丈を有する第３部材３Ｃ又は４Ｃを備え、前記第１部材３Ａ又は４Ａの上部に位置する肩部に相当する第４部材３Ｄ又は４Ｄとから、浮力材３又は４を構成している。このように、浮力材３，４を４つに分割することによって、分割された部分において上着が曲がり易くなり、身体の表面により一層上着を沿わせることができる利点があるが、第４部材３Ｄ又は４Ｄと第１部材３Ａ又は４Ａとを一体化し、第２部材３Ｂ又は４Ｂと第３部材３Ｃ又は４Ｃとを一体化した２つの部材から構成してもよいし、第４部材３Ｄ又は４Ｄを省略して構成することもできる。ここでは、４つの部材の厚みを全て同一又はほぼ同一にしているが、異なる厚みの部材から構成することもできる。例えば図２（ｂ）に示している第１部材４Ａの厚みＤ１を最も厚くなる寸法（例えば３５ｍｍ）にし、第２部材４Ｂの厚みＤ２を第１部材４Ａの厚みＤ１よりも薄くなる寸法（例えば２５ｍｍ）にし、第３部材４Ｃの厚みＤ３を第２部材４Ｂの厚みよりも薄くなる寸法（例えば２０ｍｍ）にし、第４部材４Ｄの厚みを第１部材４Ａの厚みＤ１よりも薄く、かつ、第２部材４Ｂの厚みよりも厚くなる寸法（例えば３０ｍｍ）にしているが、これらの寸法に限定されるものではない。図２（ｂ）では、寸法関係が明確になるように実際の厚みよりも大きな差を付けて３つの部材４Ａ，４Ｂ，４Ｃを描いている。
【００２１】
前記第１部材３Ａ又は４Ａは、上下方向に長い単一の縦長状の部材から構成し、該第１部材３Ａ又は４Ａの下部３ｂ又は４ｂの左右幅寸法Ｗ１又はＷ２を上部３ａ又は４ａの左右幅寸法Ｗ３又はＷ４よりも小さくして、第１部材３Ａ又は４Ａを上下方向において同一左右幅に構成したり、上部の左右幅に対して下部の左右幅を大きくした場合に比べて、身体を前屈みにしたときに、前後方向に第１部材３Ａ又は４Ａを撓ませて身体に沿わせることができる利点がある。
【００２２】
前記第１部材３Ａ又は４Ａの左右両端のうちの前身頃の合わせ部側とは反対側の横側端の下側がそれの下端側ほど該合わせ部側に位置する傾斜部３Ｋ又は４Ｋを有するように、該第１部材３Ａ又は４Ａを先細り形状に構成している。前記傾斜部３Ｋ又は４Ｋが、合わせ部側に突出する湾曲部に構成しているが、直線状に構成してもよい。図２では、第１部材３Ａ又は４Ａの上部３ａ又は４ａと下部３ｂ又は４ｂとを１つの部材から構成したが、図８に示すように、上下に分割された２つの上下の部材３ａ，３ｂ又は４ａ，４ｂから構成してもよい。又、図８では、下側部材３ｂ又は４ｂ、第２部材３Ｂ又は４Ｂ、第３部材３Ｃ又は４Ｃのそれぞれが、左右両端面が左右方向でほぼ平行となるように、つまり上下方向において左右幅がほぼ同一になるようにしているが、どのような形状であってもよい。
【００２３】
図２（ａ）及び図３（ａ）に示すように、前記第１部材３Ａ又は４Ａの左右両端のうちの前身頃の合わせ部側の横側端３Ｓ又は４Ｓを、上下方向にほぼ真っ直ぐ伸びる直線部に構成することによって、前身頃の合わせ部との間にデッドスペースが形成されることなく、第１部材３Ａ又は４Ａを配置することができる利点があるが、第１部材３Ａ又は４Ａの左右両端のうちの前身頃の合わせ部側の横側端３Ｓ又は４Ｓの下側を前身頃の合わせ部から離間させた位置に位置する形状、下端側ほど前身頃の合わせ部から離間する側に位置する湾曲状又は直線状の傾斜部であってもよいし、又上下方向に真っ直ぐ伸びる直線部であってもよい。又、第１部材３Ａ又は４Ａの上端３ｄ又は４ｄを、合わせ部側ほど下方に位置する傾斜部に構成しているが、水平部であってもよい。又、第１部材３Ａ又は４Ａの上部の前身頃の合わせ部から離間する側に位置する横側部３ｅ又は４ｅを、それの下側ほど前身頃の合わせ部から離間する側に位置し、かつ、前身頃の合わせ部側に突出する湾曲部に構成しているが、上下方向にほぼ真っ直ぐ伸びる直線部に構成してもよい。
【００２４】
前記のように第１部材３又は４の前記前身頃の合わせ部側とは反対側の横側端の下側を、傾斜部３Ｋ又は４Ｋに構成することによって、該下側を該前身頃の合わせ部側へ位置させ、前記第１部材３又は４の側方に位置する第２部材３Ｂ又は４Ｂを、該第１部材３又は４の上部３ａまたは４ａと上下方向において重複するように配置している。そして、前記第２部材３Ｂ又は４Ｂの左右両横側端のうちの前記第１部材側の横側端に、下端側ほど該第１部材３又は４に位置する傾斜部３ｆ又は４ｆを備えさせているが、上下方向にほぼ真っ直ぐ伸びる直線部であってもよい。前記傾斜部３ｆ又は４ｆが、前身頃の合わせ部側に突出する湾曲部に構成することによって、前記第１部材３又は４の傾斜部３Ｋ又は４Ｋとの間の隙間をできる限り小さくなるようにしているが、直線部であってもよい。
【００２５】
前記第２部材３Ｂ又は４Ｂの第３部材側の横側端に、下端側ほど第１部材側に位置する直線状（湾曲状でもよい）の傾斜部３ｇ又は４ｇを備えさせ、第２部材３Ｂ又は４Ｂの側方に配置された前記第３部材３Ｃ又は４Ｃの第２部材側の横側端に、下端側ほど該第２部材側に位置する直線状（湾曲状でもよい）の傾斜部３ｈ又は４ｈを備えさせて、第２部材３Ｂ又は４Ｂと第３部材３Ｃ又は４Ｃとの間に隙間をできる限り小さくなるようにしているが、隣り合う横側端の形状を異なる形状に構成してもよい。
【００２６】
前記のように第１部材３Ａ又は４Ａから第３部材３Ｃ又は４Ｃまでの互いに隣り合う横側端に第１部材側に位置する傾斜部３Ｋ又は４Ｋから３ｈ又は４ｈを備えさせることによって、前屈みになった場合等に左右の部材同士間で突っ張り状態になることがなく、スムーズに前屈みになることができる利点がある。
【００２７】
前記４つの部材、第１部材３Ａ又は４Ａから第４部材３Ｄ又は４Ｄは、メッシュ状の収納袋１０に区画された状態で収納されている。この収納袋１０は、２枚のメッシュ状の生地１０Ａ，１０Ｂをそれらの外周縁を内折りにして重ね合わせて縫着することによって、袋状に構成したものである。そして、それら第１部材３Ａ又は４Ａから第４部材３Ｄ又は４Ｄのうちの隣り合う部材間で生地１０Ａ，１０Ｂを２本の糸１３，１３にて縫い付けることによって、４つの部材３Ａ，３Ｂ，３Ｃ，３Ｄ又は４Ａ，４Ｂ，４Ｃ，４Ｄを別々に仕切った状態で収納することができるようになっているが、他の方法であってもよい。図に示す１１は、前記４つの部材３Ａ，３Ｂ，３Ｃ，３Ｄ又は４Ａ，４Ｂ，４Ｃ，４Ｄが収納された収納袋１０を前身頃１Ａの内部に収納したときに図示していない係止部としての雌型（又は雄型）のドット釦に係止して内部に固定することができる係止具としての雄型（又は雌型）のドット釦を示しており、収納袋１０が前身頃１Ａの内部で移動し難くすることができ、好ましいが、無くてもよい。尚、前記係止具１１は、収納袋１０に縫着された生地１２に備えさせている。
【００２８】
図３（ｂ）、図４（ａ）及び図７（ａ）に示すように、前記後身頃２には、７つに分割された板状の浮力材１６〜２２を備え、該浮力材が、背中を上下方向で支持するために後身頃２の上下寸法に略等しい上下長さを有し、かつ、後身頃２の略半分以上の左右寸法を有するように設定され、上部が上端側ほど幅狭となる船形状の第１部材１６と、この第１部材１６の前記後身頃２の左右両横側部の上下にそれぞれ位置する左右２組の第１横側部１７，１８，１９，２０と、前記第１横側部１７，１８，１９，２０の横側部に位置する第２横側部２１，２２の合計７つの浮力材から構成されている。
このように、後身頃２の上下寸法に略等しい上下長さを有し、かつ、後身頃２の略半分以上の左右寸法を有する縦長で幅広な第１部材１６にて背中を確実に支持することができながらも、別の４つの横側部１８，２０，２１，２２が身体の横側に沿う姿勢に姿勢変更することができるから、左右方向外方側に横側部１８，２０，２１，２２が大きく突出することがないようにしている。又、肩部に相当する上側に位置する第２横側部１７，１９も肩に沿って姿勢変更することができ、動き易いようになっている。
【００２９】
前記後身頃２を構成する裏地２４（図１参照）の大部分（全てでもよいし、一部でもよい）を通気性を有する生地から構成し、図７（ａ），（ｂ）に示すように、前記背中部第１部材１６から第３部材２２までの７つの部材を別々に収納可能な収納部を備えるとともに通気性を有する生地にて構成するべくメッシュ状の収納袋２５を備え、図４（ａ），（ｂ）に示すように、前記裏地２４側から前記収納袋２５を通して前記後身頃２を構成する表地２６側へ通気させるための通気部を該表地２６に備えさせている。具体的には、図５にも示すように、前記表地２６のうちの、前記第１部材１６から第３部材２１，２２に渡る部分に対応する部分（図では上下方向中央よりも少し上側部分から下端に渡る表地２６の半分を越える広い範囲）に、通気性を有する一枚のメッシュ状生地２７を備えさせて、前記通気部を構成している。図７（ａ），（ｂ）に示すように、前記収納袋２５は、前記と同様に２枚のメッシュ状の生地２５Ａ，２５Ｂをそれらの外周縁を内折りにして重ね合わせて縫着することによって、袋状に構成したものである。そして、前記７つの浮力材１６〜２２のうちの隣り合う部材間で生地２５Ａ，２５Ｂを糸３２にて縫い付けることによって、７つの浮力材１６〜２２を別々に仕切った状態で収納することができるようになっているが、他の方法であってもよい。図に示す３３は、前記７つの部材１６〜２２が収納された収納袋２５を前身頃の内部に収納したときに内部に備えさせた係止部としての雌型（又は雄型）のドット釦（図示せず）に係止して内部に固定することができる係止具としての雄型（又は雌型）のドット釦を示しており、収納袋２５が後身頃２の内部で移動し難くすることができ、好ましいが、無くてもよい。尚、前記係止具３３は、収納袋２５に縫着された生地３４に備えさせている。前記収納袋２５全体が通気性を有するように構成する他、第１部材１６と２つの第２部材１８，２０との間に渡る部分のみを通気性を有するように構成してもよい。
【００３０】
図４（ａ）及び図６に示すように、前記メッシュ状生地２７を表面側から覆う外皮部材２８を備えており、該外皮部材２８の上端と左右方向両端それぞれの下側部分とをこれらに対応する前記表地２６の部分、つまり、該表地２６の上部を構成する上部側部分２９の下端と、該表地２６の下部の左右両端を構成する左右両側部分３０，３１とに、それぞれ連結している。詳述すれば、前記外皮部材２８の上端部及び左右両端部分のそれぞれの外面に、複数の雄型（又は雌型）の係止部材（ドット釦）３５を備えさせ、該係止部材３５に係止及び係止解除自在な雌型（又は雄型）の被係止部材（ドット釦）３６を、前記上部側部分２９の下端の内面、左右両側部分３０，３１の内面にそれぞれ備えさせて、両者を係止及び係止解除することにより、外皮部材２８を表地２６に着脱自在に連結することができるようになっているが、外皮部材２８を表地２６に完全に固定する構成であってもよい。前記上部側部分２９の左右方向３箇所に、通気用のメッシュ状部材３７，３８，３９を備えさせて、裏地２４からの通気性を高めることができるようにしている。
このように構成された後身頃２の通気について説明すれば、図４（ａ），（ｂ）に示すように、裏地２４を通過して後身頃２の内部に侵入してきた熱気等は、図４（ｂ）に示すように第１部材１６と隣り合う一方の第２部材１８との間に渡る通気部を通る、又は収納袋２５の左右両端に形成される後身頃２のスペース４０を通して、メッシュ状生地２７の外側まで移動し、外皮部材２８の左右両端に形成される開口（隙間）２８Ａや外皮部材２８の下端とメッシュ状生地２７の下端とで形成される開口（隙間）を通して外部へ排出できるようになっている。前記スペース４０は、前記メッシュ状生地２７及び裏地２４の左右端にそれぞれ一端が縫着されるとともに後身頃２の左右端部をそれぞれ構成する一対の端部材４１，４２から形成され、これら端部材４１，４２の他端同士（左右方向両端同士）が重ねられてそれら端部分を縁取り用の外縁部材４３にて覆ってから縫着している。
【００３１】
図１に示すように、前記前身頃１のうちの左前身頃１Ａの上側部分に上ポケット６を備えるとともに、左前身頃１Ａの下側部分に下ポケット７を備えている。又、右前身頃１Ｂの上側部分に上ポケット８を備えるとともに、右前身頃１Ｂの下側部分に下ポケット９を備えているが、上ポケット６，８の個数及び形状は自由に変更可能である。それらポケット６，７，８，９は、スライドファスナーにて開閉自在になっているが、他の開閉構造であってもよい。
【図面の簡単な説明】
【００３２】
【図１】釣り用上着の正面図である。
【図２】（ａ）は浮力材を収納した収納袋の正面図、（ｂ）は図２（ａ）におけるＡ−Ａ線断面図である。
【図３】（ａ）は前身頃に収納した浮力材の正面図、（ｂ）は後身頃に収納した浮力材の正面図である。
【図４】（ａ）は釣り用上着の背面図、（ｂ）は図（ａ）におけるＢ−Ｂ線断面図である。
【図５】外皮部材を取り外した状態の釣り用上着の背面図である。
【図６】外皮部材の正面図である。
【図７】（ａ）は図３（ｂ）で示した浮力材を収納した収納袋の正面図、（ｂ）は図７（ａ）におけるＣ−Ｃ線断面図である。
【図８】前身頃に収納する別の浮力材の正面図である。
【符号の説明】
【００３３】
１…前身頃、１Ａ…左前身頃、１Ｂ…右前身頃、２…後身頃、３，４…浮力材、３Ａ，３Ｂ，３Ｃ，３Ｄ，４Ａ，４Ｂ，４Ｃ，４Ｄ…部材、３Ｋ…傾斜部、３Ｓ…横側端、３ａ…上部（部材）、３ｂ…下部（部材）、３ｄ…上端、３ｅ…横側部、３ｆ…傾斜部、３ｇ…傾斜部、３ｈ…傾斜部、５…ベスト着脱用スライドファスナー、６，７，８，９…ポケット、１０…収納袋、１０Ａ，１０Ｂ…生地、１１…係止具、１２…生地、１３…糸、１６…背中部、１６-２２…浮力材、１７，１８，１９，２０…横側部、２４…裏地、２５…収納袋、２５Ａ，２５Ｂ…生地、２６…表地、２７…メッシュ状生地、２８…外皮部材、２９…上部側部分、３０，３１…左右両側部分、３２…糸、３３…係止具、３４…生地、３５…係止部材、３７，３８，３９…メッシュ状部材、４０…スペース、４１，４２…端部材、４３…外縁部材、Ｗ１，Ｗ２，Ｗ３，Ｗ４…左右幅寸法、
【図１】
2009019298.tif 000003
【図２】
2009019298.tif 000004
【図３】
2009019298.tif 000005
【図４】
2009019298.tif 000006
【図５】
2009019298.tif 000007
【図６】
2009019298.tif 000008
【図７】
2009019298.tif 000009
【図８】
2009019298.tif 000010